(57)【特許請求の範囲】
【請求項１】
浴室内の洗い場の壁に配管された混合水栓の給湯口から分岐配管を経由して給湯を受けるミストノズルと、前記分岐配管からミストノズルに至る給湯を制御する給湯制御手段と、から成るミスト式浴室暖房装置において、
前記ミスト式浴室暖房装置本体を混合水栓の左側に位置させると共に、前記ミストノズルを前記装置本体の右側に位置させて成るミスト式浴室暖房装置。
【請求項２】
分岐配管の一部に手動式の止水栓を取り付けて成る請求項１記載のミスト式浴室暖房装置。
【請求項３】
流量調整機能を付加して成る止水栓で構成されている請求項２記載のミスト式浴室暖房装置。
【請求項４】
装置本体に取付金具を取り付け、この取付金具を混合水栓の給湯口と給水口に引っ掛けて装置本体を支持するように構成して成る請求項１〜３に記載の何れかに該当するミスト式浴室暖房装置。
【請求項５】
取付金具にアジャスト機構を設けて成る請求項４記載のミスト式浴室暖房装置。
【請求項６】
装置本体に洗い場の床側に向けて支持足を取り付けて成る請求項１〜５に記載の何れかに該当するミスト式浴室暖房装置。
【請求項７】
支持足に高さ調整用のアジャスト機構を設けて成る請求項６に記載のミスト式浴室暖房装置。
【請求項８】
支持足が装置本体に対して着脱自在に取り付けられている請求項６又は７記載のミスト式浴室暖房装置。
【請求項９】
ミストノズルホルダーを上向きと下向きの２個となし、このミストノズルホルダーに夫々複数のミストノズルを配備して成る請求項１〜８に記載の何れかに該当するミスト式浴室暖房装置。
【請求項１０】
上向きのミストノズルを複数設け、給湯の設定温度を６０℃、ミストノズル１つあたりの流量を１．０〜２．０ｌ／ｍｉｎに設定して浴室内をサウナ室に利用できるように構成して成る請求項１〜９に記載の何れかに該当するミスト式浴室暖房装置。
【請求項１１】
給湯制御手段にＯＮ信号が入力されたのち、数秒後に噴霧を開始するように構成して成る請求項１〜１０に記載の何れかに該当するミスト式浴室暖房装置。
【請求項１２】
装置本体内に電源電池を組み込んだ際に、この電源電池にＯＦＦスイッチによる低消費電力モードを設けて、使用に伴う電池寿命を向上させた請求項１〜１１に記載の何れかに該当するミスト式浴室暖房装置。
【請求項１３】
ミスト散水時間を任意に設定できる動作タイマーを給湯制御手段に取り付けると共に、この動作タイマーに０分を設けて電源電池ＯＦＦスイッチを兼ねるように構成して成る請求項１〜１２に記載の何れかに該当するミスト式浴室暖房装置。
【発明の詳細な説明】
【０００１】
【発明の属する技術分野】
本発明は、ミストノズルを用いて浴室及び洗い場を暖房することができると共に、浴室内サウナとしても利用できるミスト式浴室暖房装置に関するものである。
【０００２】
【従来の技術】
本件特許出願人は、浴室内に取り付けられた混合水栓の給湯口を分岐した先にミスト発生装置を取り付けることにより、このミスト発生装置を用いて浴室内の暖房を行うことができると共に、ミスト発生装置のための給湯配管や浴室内において、特別な工事を行う必要のないミスト式浴室暖房装置を特願平８−３４０９９７号として特許出願している。
本発明は、このミスト式浴室暖房装置に、更に新規な機能を加えた点に特徴がある。
【０００３】
【課題を解決するための手段】
本発明の構成は次のとおりである。
１．浴室内の洗い場の壁に配管された混合水栓の給湯口から分岐配管を経由して給湯を受けるミストノズルと、前記分岐配管からミストノズルに至る給湯を制御する給湯制御手段と、から成るミスト式浴室暖房装置において、
前記ミスト式浴室暖房装置本体を混合水栓の左側に位置させると共に、前記ミストノズルを前記装置本体の右側に位置させて成るミスト式浴室暖房装置。
【０００４】
２．分岐配管の一部に手動式の止水栓を取り付けて成る前記１記載のミスト式浴室暖房装置。
３．流量調整機能を付加して成る止水栓で構成されている前記２記載のミスト式浴室暖房装置。
【０００５】
４．装置本体に取付金具を取り付け、この取付金具を混合水栓の給湯口と給水口に引っ掛けて装置本体を支持するように構成して成る前記１〜３に記載の何れかに該当するミスト式浴室暖房装置。
５．取付金具にアジャスト機構を設けて成る前記４記載のミスト式浴室暖房装置。
【０００６】
６．装置本体に洗い場の床側に向けて支持足を取り付けて成る前記１〜５に記載の何れかに該当するミスト式浴室暖房装置。
７．支持足に高さ調整用のアジャスト機構を設けて成る前記６に記載のミスト式浴室暖房装置。
【０００７】
８．支持足が装置本体に対して着脱自在に取り付けられている前記６又は７記載のミスト式浴室暖房装置。
９．ミストノズルホルダーを上向きと下向きの２個となし、このミストノズルホルダーに夫々複数のミストノズルを配備して成る前記１〜８に記載の何れかに該当するミスト式浴室暖房装置。
【０００８】
１０．上向きのミストノズルを複数設け、給湯の設定温度を６０℃、ミストノズル１つあたりの流量を１．０〜２．０ｌ／ｍｉｎに設定して浴室内をサウナ室に利用できるように構成して成る前記１〜９に記載の何れかに該当するミスト式浴室暖房装置。
【０００９】
１１．給湯制御手段にＯＮ信号が入力されたのち、数秒後に噴霧を開始するように構成して成る前記１〜１０に記載の何れかに該当するミスト式浴室暖房装置。
【００１０】
１２．装置本体内に電源電池を組み込んだ際に、この電源電池にＯＦＦスイッチによる低消費電力モードを設けて、使用に伴う電池寿命を向上させた前記１〜１１に記載の何れかに該当するミスト式浴室暖房装置。
【００１１】
１３．ミスト散水時間を任意に設定できる動作タイマーを給湯制御手段に取り付けると共に、この動作タイマーに０分を設けて電源電池ＯＦＦスイッチを兼ねるように構成して成る前記１〜１２に記載の何れかに該当するミスト式浴室暖房装置。
【００１２】
【作用】
運転スイッチＯＮにより、混合水栓の給湯口まで供給されている温水が分岐配管を経由してミストノズルに供給される。この結果、ミストノズルから浴室内に温水ミストが噴霧し、浴室内及び洗い場を暖房する。
【００１３】
【実施例１】
図１及び図２に基づいて、本発明の実施例を詳述する。符号の１は、浴室の壁に対する固定手段２を有する装置本体であって、この装置本体１内には、各種の制御を行う給湯制御手段としての制御基板（コントローラ）３、乾電池３ａ、電磁弁４、出湯温サーミスタ５が組み込まれている。
【００１４】
６は前記装置本体１の下部に設けられた分岐管接続口であって、この分岐管接続口６にはフィルタ７が取り付けられ、分岐管接続口６から装置本体１内に流入した温水は、電磁弁４を経由して分配管８内に入り、この分配管８で装置本体１の右側に設けた上下のミストノズル取付口９、１０に分配されている。
【００１５】
１１は下部のミストノズル取付口９に対して上下方向に向きを変更できるようにして取り付けられた下部ノズルホルダー、１２は下部ノズルホルダー１１に対して回転自在に取り付けられた下部ミストノズルである。
１３は上部のミストノズル取付口１０に対して上下方向に向きを変更できるようにして取り付けられた上部ノズルホルダー、１４は上部ノズルホルダー１３に対して回転自在に取り付けられた上部ミストノズルである。
【００１６】
１５は前記分岐管接続口６から延長された分岐配管であって、この分岐配管１５の先は混合水栓１７の給湯口１８に取り付けられた分岐金具１９の分岐口２０に手動開閉式の止水栓１６を経由して接続されている。
２１は混合水栓１７の給水口、２２は混合水栓１７の出湯口である。
【００１７】
上記ミスト式浴室暖房装置にあっては、ミストスイッチＯＮにより、制御基板３により電磁弁４がＯＮに制御される。この結果、混合水栓１７の給湯口１８から分岐金具１９、止水栓１６、分岐配管１５、分岐管接続口６、フィルタ７、電磁弁４を経由して分配管８に温水が供給されて上下のミストノズル１２、１４から浴室内にミストが噴霧され、この結果、浴室内の暖房が行われる。
【００１８】
【実施例２】
図２は本体１から取付金具２３を水平方向に突き出し、この取付金具２３に逆Ｕ字状の溝２４を形成し、混合水栓１７の給湯口１８と給水口２１に溝２４を上方から外嵌することにより、装置本体１を混合水栓１７の根元で支持し、簡易な手段でミスト式浴室暖房装置を浴室内に取り付けることができるようにした実施例である。
【００１９】
なお、この取付金具２３には、水平方向のアジャスト機構を取り付けたり、装置本体１と取付金具２３の取り付け位置を上下にアジャストする機構を取り付けることにより、現場の取付状況に応じて任意に位置関係をアジャストできるようにすると便利である。
【００２０】
【実施例３】
図３は本体１の下部に２本の支持足２５、２５ａを取り付けて支持足２５、２５ａを洗い場の床２７まで延長し、この支持足２５、２５ａで本体１を単独で、又は他の支持手段、例えば実施例２の取付金具２３と併用で支持する実施例である。２６、２６ａは支持足２５、２５ａの下端部に形成されたアジャスト機構である。
【００２１】
上記実施例１及び２及び３は、更に次の機能を有する。
制御基板３は浴室内でのボタン制御に加えて、浴室外からの有線又はワイヤレスリモコンにより制御が可能である。又、止水栓１６は流量制御機能を有する。上部のミストノズル１４は、実施例においては、ミストノズルホルダー１１、１３ごとにミストノズル１２、１４は１ヶであるが、これを２ヶ又は３ヶ設け、給湯温度を６０℃に設定し、ノズル１つあたりの流量を１．０〜２．０ｌ／ｍｉｎとすることにより、大量のミストを浴室内空間に噴霧させてサウナ室として浴室を利用できるようにすることもできる。
【００２２】
制御基板３による制御は、ミスト運転全般を行うが、これには、更に電源ＯＦＦスイッチを設けて、常時電源回路を待機運転のＯＮ状態としないことにより、電池の寿命を長持ちさせる機能、又はこれと同一の目的のためにタイマーを持たせてミスト噴霧の時間の任意設定機能を付与し、更に０分設定を設けて前記ＯＦＦスイッチと同様に常時待機中とせずに電池の消耗を防止するようにしてもよい。
【００２３】
上記実施例の場合、ミスト暖房スイッチがＯＮに制御されると、電磁弁４が開き、混合水栓１７の給湯口１８まで来ている温水は、分岐金具１９→止水栓１６→分岐配管１５→フィルタ７→電磁弁４→分配管８を経由して上下のミストノズル１２、１４からミストとなって浴室内に噴霧し、上部ミストノズル１４は浴室内空間を暖房し、下部ミストノズル１２は洗い場側を暖房する。
【００２４】
上記機能に加えて、本発明は、次のような制御を行う機能が付加されている。
（１）発停について
▲１▼発停はリモコンの運転及び停止スイッチにて行う。
▲２▼停止については、本体１の制御基板３のタイマーでも可能である。
▲３▼リモコンの停止機能とタイマーの停止機能とでは、リモコンの停止の方が優先される。したがって、タイマーがアップするまでにリモコンの停止スイッチが押された場合には停止となる。
▲４▼リモコンの運転＝ＯＮにて、タイマーは初期より作動開始する。
【００２５】
（２）ミスト動作について
▲１▼本体１の制御基板３は運転＝ＯＮを受信して、２秒後に水弁を開側とし、ミストを吐出させる。ここで、２秒の遅延時間を設けたのは、浴室のドアを閉める時間を考慮したためである。
▲２▼本体１の制御基板３は、
■タイマーがアップした、
■リモコンからの停止信号を受信した、
の何れかにより、電磁弁４を閉側とし、ミストの吐出を停止する。
【００２６】
（３）タイマーについて
▲１▼「タイマーつまみ」は本体１において、制御基板３の前面パネル上に取り付けられる。
▲２▼タイマーは、「切」・１〜１１分（１分刻み）の選択が可能である。
▲３▼「切」を選択すると本体は停止となり、本体１の制御基板３はリモコンからの発停信号を受信しなくなる（電池の消耗を軽減するため）。
リモコン操作を有効にするには、タイマーを１〜１１分のいずれかに設定する必要がある。
【００２７】
（４）通信について
▲１▼赤外線による無線通信である。
▲２▼リモコンから本体１の制御基板３への単向送信である。
▲３▼赤外線の波長はλ＝９５０ｎｍである。
▲４▼通信感度は、５ｍ以上である。
【００２８】
（５）アラーム停止について
▲１▼以下の状態となった場合は、アラーム停止する。
■出湯サーミスタの検知温度が高温となった場合
■出湯サーミスタが断線または短絡した場合
▲２▼アラームは、
■タイマーアップ
■リモコンからの停止信号を受信
■タイマー＝「切」選択
とした場合に解除される。
【００２９】
（６）吐出温度が高温時の動作について
吐出温度が高温であると火傷の危険がある。したがって、以下の機能を有する。
■出湯サーミスタ５の検知温度Ｔが、連続３秒間、
Ｔ  ≧  ６５℃
となった場合には、アラーム停止させる。また、本体アラームＬＥＤを点滅させる。
■上記状態のままでは再使用に時間を要すため、図４に示す高温水排出動作を行う。
【００３０】
（７）電池電圧低下時の動作について
ミスト動作中に電池電圧が低下し、停止不能となるのは設計上の欠陥となる。
したがって、以下の機能を有する。
▲１▼ミスト動作中に電池電圧が終止電圧以下となった場合でも、最低１回の停止動作が可能である。
▲２▼電池電圧が終止電圧以下となった場合は、次回の運転を行わない。
▲３▼電池電圧が終止電圧以下となったとき、２つのＬＥＤを同時点滅表示させる（電池交換表示）。
▲４▼電池電圧が電池交換の予告電圧以下に達したときＬＥＤを点滅させる（電池交換予告表示）。
【００３１】
（８）電池寿命について
▲１▼電池寿命は６ケ月以上である。
▲２▼本体部は、アルカリ単１×２本である。
▲３▼リモコンは、マンガン単４×２本である。
【００３２】
（９）本体部電池確認表示について
本体側の電池電圧が規定値以上ある場合には、タイマー「切」から１〜１１分のどれかを選択したとき約２秒間２つのＬＥＤが点灯する。
■本体部の電池電圧の状態が判断できる。
■リモコンの電池切れを上記にて判断できる（リモコンのＳＷを押しても動作しない場合、リモコンの電池切れの判断を、本体部の電池電圧を確認することで判断できる）。
【００３３】
（１０）本体ＬＥＤ表示について
本体部の前面側にＬＥＤが２個取り付けてある。
▲１▼動作／電池確認用ＬＥＤ（ミドリ色）
▲２▼アラーム表示用ＬＥＤ（アカ色）
■２個のＬＥＤの表示方法は表１、表２の通りである。
【表１】
0003544458.tif 000002
【表２】
0003544458.tif 000003
【００３４】
＝説明＝
■※１は、リモコンからの運転信号を受信した時点から停止するまで、ＬＥＤが点灯する。
■※２は、電池電圧が電池交換の予告電圧以下に達したときＬＥＤが点滅する。
■※３は、電池電圧が終止電圧以下に達したときＬＥＤが点滅する。
■※４は、本体側の電池電圧が規定値以上ある場合に、タイマー「切」から１〜１１分のどれかを選択したとき約２秒間２つのＬＥＤが点灯する。
■点滅は、周期＝１秒、点滅ｄｕｔｙ＝５０％（点灯＝０．５秒、消灯＝０．５秒）である。
【００３５】
【発明の効果】
本発明は以上のような構成から成り、次の効果を奏する。
１．混合水栓の温水配管は正面向かって左側になっている。したがって、装置本体は混合水栓の左側に施工した方が配管が容易であり、見栄えもよい。この時、ミストノズルは装置本体の右側であって、混合水栓の間、つまり洗い場の中心に位置させることにより、浴室床面を効果的に加温できる（請求項１）。
【００３６】
２．混合水栓から温水を分岐するにあたり、分岐金具と分配管の間に止水栓を設けることにより、メンテナンスや分岐配管の交換が容易になる。又、この止水栓で流量を調節することにより、ミスト流量を浴室にあわせた適当な流量にチューニングすることが可能である。又、装置本体に止水機能を持たせる必要が無くなるため、装置本体のコンパクト化、コストダウン化を図ることができる（請求項２、３）。
【００３７】
３．浴室の壁に穴を開け、装置本体をビスで固定する方法以外に、装置本体を取付金具を用いて混合水栓に引っ掛けて簡易に取り付けることができる（請求項４）。
４．取付金具にアジャスト機能があるため、現場の状況に応じた取り付け位置の選択が可能である（請求項５）。
【００３８】
５．本体に支持足を取り付けたことにより、洗い場の床で本体を支持できる。又、高さはアジャスト機構で調整できる（請求項６、７、８）。
６．ミストノズルを複数設けることにより、立ち上がりが良く、効果的な暖房が可能であると共に浴室のサウナ化が可能である（請求項９、１０）。
【００３９】
７．上向きのミストノズルを複数設け、給湯温度の設定を６０℃、ノズル１つあたりの流量を１．０〜２．０ｌ／ｍｉｎとすることにより、浴室内を効果的に湿式サウナ室とすることができる（請求項９、１０）。
８．有線もしくはワイヤレスリモコンからのＯＮ信号を受信したのち、噴霧開始までに数秒待機することにより、操作者がミストを浴びてしまうことを防止できる（請求項１１）。
【００４０】
９．浴室外に設置したワイヤレスリモコンによって操作する方式では、施工が容易であるというメリットがある一方、信号受信待機のために多くの電力を消費し、電池寿命が短くなる欠点がある。特に、夏場などは暖房を使用しないにも関わらず、電池はどんどん消耗していく。そこで、ミスト式浴室暖房装置本体に電源ＯＦＦスイッチを設け、使用しない期間は電池電力を温存することができる（請求項１２）。
【００４１】
１０．動作タイマー（ミスト散水時間を任意に設定でき、時間がくると自動的に止まる）に０分を設けることにより、使用しないときは常に電源がＯＦＦとなり、電池の消耗を防止することができる（請求項１３）。
【図面の簡単な説明】
【図１】本発明の実施例の説明図。
【図２】取付金具により簡易に装置本体の取り付けを行うことができるようにした実施例の説明図。
【図３】本体に支持足を取り付けた実施例の説明図。
【図４】出湯温度高温時の制御例の説明図。
【符号の説明】
１  ミスト式浴室暖房装置本体
２  固定手段
３  制御基板
３ａ  乾電池
４  電磁弁
５  出湯温サーミスタ
６  分岐管接続口
７  フィルタ
８  分配管
９、１０  ミストノズル取付口
１１  下部ノズルホルダー
１２  下部ミストノズル
１３  上部ノズルホルダー
１４  上部ミストノズル
１５  分岐配管
１６  止水栓
１７  混合水栓
１８  給湯口
１９  分岐金具
２０  分岐口
２１  給水口
２２  出湯口
２３  取付金具
２４  溝
２５、２５ａ  支持足
２６、２６ａ  アジャスト機構
２７  床
【図１】
0003544458.tif 000004
【図２】
0003544458.tif 000005
【図３】
0003544458.tif 000006
【図４】
0003544458.tif 000007